(57)【特許請求の範囲】
【請求項１】
尿器本体と、
前記尿器本体の側面に設けられた排尿口と、
前記尿器本体の上面に配設された持ち運び用の持ち手と、
前記持ち手の上面に設けられた把手と
を備え、
前記把手は、前記尿器本体に対して前記排尿口が開口する方向に沿って延び、かつ、前記持ち手に対して、前記尿器本体に対して前記排尿口が開口する方向にスライド自在に設けられた、尿器。
【請求項２】
前記尿器本体、前記持ち手及び前記把手は、合成樹脂により構成されている、請求項１記載の尿器。
【請求項３】
前記把手が取り付けられた前記持ち手は、前記尿器本体に対して前記排尿口が開口する方向に沿って延びている、請求項１又は２記載の尿器。
【請求項４】
前記把手が取り付けられた前記持ち手は、環状の持ち手である、請求項１乃至３の何れか一つに記載の尿器。
【請求項５】
前記把手を前記持ち手にスライド自在に設けるための凹凸嵌合手段と、
前記把手を前記持ち手の所望位置に固定するための固定手段と、を備えてなる、
請求項１乃至４の何れか一つに記載の尿器。
【請求項６】
前記凹凸嵌合手段が、
前記持ち手に前記尿器本体に対して前記排尿口が開口する方向に設けられた嵌合凸部と、
該嵌合凸部にスライド自在に嵌合させるべく把手に設けられた嵌合凹部と、からなる、
請求項５記載の尿器。
【請求項７】
前記凹凸嵌合手段が、
前記持ち手に前記尿器本体に対して前記排尿口が開口する方向に設けられた嵌合凹部と、
該嵌合凹部にスライド自在に嵌合させるべく把手に設けられた嵌合凸部と、からなる、
請求項５記載の尿器。
【請求項８】
前記固定手段が、
前記持ち手に設けられた凸状部と、
該凸状部を嵌入させるべく前記尿器本体に対して前記排尿口が開口する方向に所定間隔を有して前記把手に設けられた複数の孔と、からなる、
請求項５乃至７の何れか一つに記載の尿器。
【請求項９】
前記凸状部の先端に該凸状部よりも大径の頭部が設けられ、
前記孔が、
該頭部を挿入可能な挿入孔と、
該挿入孔に連設され、且つ前記凸状部を係入可能な係入孔と、からなる
請求項８記載の尿器。
【請求項１０】
前記把手に、各挿入孔に嵌合可能な複数の凸部を有するカバー体が着脱自在に設けられてなる、
請求項９記載の尿器。
【請求項１１】
前記排尿口に身体に密着可能な受口が設けられてなる、
請求項１乃至１０の何れか一つに記載の尿器。
【請求項１２】
請求項１乃至１１の何れか一つに記載の尿器に於いて、
尿の漏洩を阻止するための逆止弁を備えてなる、
ことを特徴とする尿器。
【発明の詳細な説明】
【技術分野】
【０００１】
本発明は、尿を受けるために瓶状に形成された容器に関するものであり、特に歩行が困難でトイレに行けない病人や高齢者等が、寝たままの状態でも使用することができる尿器に関する。
【背景技術】
【０００２】
従来、この種の尿器としては、例えば後方側に排尿口を有する瓶状の尿器本体と、該尿器本体の上面に設けられる持ち運び用の持ち手とからなるものが、広く使用されている。使用者の病状等にもよるが、一般に持ち手を把持しながら排尿を行うのは困難な場合が多い。このため、排尿時には次のように介助者の手を借りて行うのが一般的である。
【０００３】
例えば、男性が尿器を使用する場合、仰臥時は介助者に尿器の排尿口を適切に配置して貰えば、比較的容易に排尿することができる。また、側仰位の場合は、介助者の手を借りることなく、自分で尿器を支えて排尿することも可能である。しかるに、女性の場合は排尿口を身体に密着させなければならないために、その使用に際しては介助者によって尿器を保持して貰わなければならないという難点を有していた。これに対して、女性でも介助者の手を借りずに、排尿できるようにした尿器が発明されている。
【０００４】
即ち、この尿器は、前記持ち手に代えて、後方側程高く傾斜する把手を尿器本体に設けたものである。その使用にあたっては、使用者が把手を把持しつつ尿器本体の排尿口を身体に密着させて排尿を行う。かかる尿器によれば、排尿口と身体との密着状態が良好に維持されるために、介助者の介助がなくても排尿することが可能となる。
【特許文献１】特開平１０−１４９９５号公報
【発明の開示】
【発明が解決しようとする課題】
【０００５】
しかしながら、上記従来の尿器は把手が尿器本体の上面に固定されているために、例えば上半身を約３０°程度起こした半仰臥状態で使用する場合は、把手が下腹部に接触してしまう。このため、排尿口と身体との密着状態を維持できないという問題点を有していた。また、仰臥時においても、使用者の体格等によっては同様の問題が生じることになる。
【０００６】
即ち、これら従来の尿器は、何れも人の手を借りることなく自分自身で排尿を行いたいという、使用者の要求を十分に満足させ得るものではなかったのである。そのため、結局使用者は介助者の介助に頼らざるを得ないというのが実情であった。
【０００７】
それ故に、本発明はかかる点に鑑みてなされたものであり、その目的とするところは、使用状況や使用者の体格の相違等に拘らず、常に良好な使用状態を維持できるようにして、介助者の介助なしに自分自身で排尿が行えるようにすることにある。
【課題を解決するための手段】
【０００８】
ここで提案される尿器は、尿器本体と、前記尿器本体の側面に設けられた排尿口と、前記尿器本体の上面に配設された持ち運び用の持ち手と、前記持ち手の上面に設けられた把手とを備え、前記把手は、前記尿器本体に対して前記排尿口が開口する方向に沿って延び、かつ、前記持ち手に対して、前記尿器本体に対して前記排尿口が開口する方向にスライド自在に設けられている。
【０００９】
これによると、使用者は把手を把持しつつ、排尿口を身体の陰部に相対させて排尿を行うことになる。この場合、把手は引き寄せる前後方向に移動可能に構成されているために、使用者の使用状況や体格等に応じて把手を適宜所望の位置に移動させることができる。これにより、排尿口を最適な位置に配した状態で排尿を行える。その結果、介助者の手を借りることなく一人で排尿を行うことが可能となるのである。
【００１０】
ここで、「把手が、その引き寄せる前後方向に移動可能に構成されている」とは、把手を引き寄せる前後方向に伸縮可能に構成する場合も含む概念である。
【００１１】
また、前記尿器本体には、持ち運び用の持ち手を設けてもよい。
【００１２】
これによれば、持ち手を把持することにより、尿器を所定の位置に持ち運ぶことができる。
【００１３】
更に、前記把手は、尿器本体又は持ち手にスライド自在に設けることも可能である。
【００１４】
これによれば、把手を尿器本体又は持ち手に対して前後方向にスライド移動させた後、把手を把持しつつ排尿口を身体の陰部に相対させて排尿を行う。
【００１５】
この場合、把手は尿器本体又は持ち手にスライド自在に設けられているので、使用者は尿器本体又は持ち手の所望位置に把手を配することできる。このため、使用者は無理なく良好に排尿することが可能となる。
【００１６】
また、前記把手を尿器本体又は持ち手にスライド自在に設けるための凹凸嵌合手段と、
前記把手を尿器本体又は持ち手の所望位置に固定するための固定手段とを備えさせてもよい。
【００１７】
これによると、把手を尿器本体又は持ち手に対して前後方向にスライド移動させた後、固定手段により把手を所望位置で固定する。使用者は把手を把持しつつ、排尿口を身体の陰部に相対させて排尿を行う。
【００１８】
この場合、尿器本体又は持ち手の所望位置に把手を固定するための固定手段を備えているので、尿器本体の排尿口を使用者の陰部に確実に相対させることが可能となる。よって、安定した状態で排尿を行うことができる。
【００１９】
更に、前記凹凸嵌合手段は、尿器本体又は持ち手に前後方向に設けられた嵌合凸部と、該嵌合凸部にスライド自在に嵌合させるべく把手に設けられた嵌合凹部とから構成してもよい。
【００２０】
これによると、尿器本体又は持ち手に設けた嵌合凸部に沿って把手を所望の位置にスライド移動させる。使用者は把手を把持しつつ、排尿口を身体の陰部に相対させて排尿を行う。
【００２１】
この場合は、尿器本体の排尿口を簡易且つ確実に陰部に相対させることができる。
【００２２】
また、これとは逆に、凹凸嵌合手段を、尿器本体又は持ち手に前後方向に設けられた嵌合凹部と、該嵌合凹部にスライド自在に嵌合させるべく把手に設けられた嵌合凸部とから構成してもよい。
【００２３】
この場合も、上記の場合と同様の作用効果を得ることができる。
【００２４】
また、前記固定手段は、前記尿器本体又は持ち手に設けられた凸状部と、該凸状部を嵌入させるべく前後方向に所定間隔を有して前記把手に設けられた複数の孔とで構成しても構わない。
【００２５】
これによると、把手を尿器本体又は持ち手に対して所望の位置にスライド移動させた後、持ち手の凸状部を把手の所定の孔に嵌入して固定する。
【００２６】
これにより、把手は尿器本体又は持ち手の所望位置に確実に固定されて、良好に排尿を行うことができる。
【００２７】
更に、前記凸状部の先端に該凸状部よりも大径の頭部が設けると共に、前記孔を、該頭部を挿入可能な挿入孔と、該挿入孔に連設され、且つ前記凸状部を係入可能な係入孔とから構成することも可能である。
【００２８】
これによれば、把手を尿器本体又は持ち手に対して所望の位置にスライド移動させた後、持ち手の凸状部に設けた頭部を把手の挿入孔に挿入し、更に凸状部を係入孔に係入して固定する。
【００２９】
この場合、頭部と把手とが係合するために、凸状部と係入孔との係入状態が維持される。よって、把手と尿器本体又は持ち手との取付状態がより一層強固なものになり、不用意に離脱することはない。
【００３０】
また、前記把手に、各挿入孔に嵌合可能な複数の凸部を有するカバー体を着脱自在に設けてもよい。
【００３１】
これによれば、把手を所望の位置にスライド移動させて、その凸状部を係入孔に係入した後、各挿入孔に凸部を嵌合してカバー体を前記把手に取付ける。
【００３２】
このように、カバー体の凸部は把手の挿入孔に嵌合されているために、持ち手の凸状部が係入孔から挿入孔側に移動することはない。よって、把手と尿器本体又は持ち手との固定状態が良好に維持されることになる。
【００３３】
更に、前記排尿口に身体に密着可能な受口を設けることも可能である。
【００３４】
この場合は、受口を身体に密着させて排尿を行う。このように受口を設ければ、排尿中の尿の漏洩を良好に防止できて、特に女性用尿器としては最適である。
【００３５】
また、前記受口には尿の漏洩を阻止するための逆止弁を備えさせることもできる。
【００３６】
これによると、尿器本体に貯えられた排尿は、逆止弁により外部への漏洩が適切に阻止される。
【発明の効果】
【００３７】
本発明によれば、使用者の使用状況や体格等に応じて把手を適宜所望の位置に移動させることができるために、介助者の手を借りることなく自ら排尿を行うことが可能となる。
【発明を実施するための最良の形態】
【００３８】
図１は、排尿が貯えられる瓶状の尿器本体１と、該尿器本体１の後方側上面に取付けられる持ち運び用の持ち手２と、該持ち手２の上面に取付けられる把手３と、前記尿器本体１の後方側一側面に設けられる筒状の排尿口４と、該排尿口４に着脱自在に取付けられる受口５とを備えた女性用尿器の正面図である。これらの各部材は、可撓性を有する合成樹脂からなっている。
【００３９】
尿器本体１の後方側の上面中央には、図２に示すような断面略Ｔの字状の凸部６が前後方向に設けられ、その後方側の上部両側面には平面略三角形状の係止部７が突設されている。持ち手２は環状の把持部２ａと、尿器本体１に取付けられる取付部２ｂとからなっている。把持部２ａの内周面の上部後方側には、突起８が設けられている。従って、尿器の前後が視覚では判別できないような夜間等に於いても、使用者は把持部２ａを把持することにより、尿器が前方或いは後方の何れの側を向いているかを容易に認識することができる。これにより、誤って排尿口４側を下方に向けてしまい、排尿口４から尿が漏洩するという事態を適切に回避できる。
【００４０】
また、持ち手２の取付部２ｂの下面中央には、図３に示すように、尿器本体１の凸部６がスライド可能に嵌着される断面略Ｔの字状の凹部９が前後方向に形成されている。かかる凹部９に前記凸部７を嵌着して、図４に示すように持ち手２が尿器本体１に取付けられる。尚、持ち手２の凹部９の後方側の所定位置には、図５及び図６に示すように、前記凸部６の係止部７が係止される幅広の溝部１０が設けられている。この溝部１０に係止部７を係止させることにより、持ち手２の尿器本体１からの離脱が阻止される。
【００４１】
把手３は持ち手２の上面に、凹凸嵌合手段を介して前後方向（図１の矢印Ａ方向）にスライド自在に取付けられている。かかる凹凸嵌合手段は、図７（ａ）に示すように、持ち手２の上面に前後方向に形成した断面略Ｔの字状の嵌合凸部１１と、該嵌合凸部１１にスライド自在に嵌合すべく前記把手３の前方側下面に形成した断面略Ｔの字状の嵌合凹部１２とから構成されている。
【００４２】
また、把手３は固定手段により持ち手２の所望位置に固定される。かかる固定手段は、図５（ａ）に示すように、持ち手２の後方側上面に設けられ、且つ先端に大径の頭部１３を有する凸状部１４と、図８に示すように、把手３の後方側に所定間隔を有して前後方向に形成された複数の孔１５とから構成されている。また、孔１５は前記頭部１３が挿入可能な挿入孔１６と、該挿入孔１６の前方側に連設され、挿入孔１６よりも幅狭で、且つ前記凸状部１４が係入可能な係入孔１７とからなる。係入孔１７に凸状部１４を係入した状態で把手３を把持すると、図７（ｂ）に示すように、凸状部１４の先端に設けた大径の頭部１３と把手３の上面とが係合する。このため、把手３の固定状態は維持される。
【００４３】
尚、把手３の上面には前記固定手段を覆うようにカバー体１８が着脱自在に設けられている。図９に示すように、カバー体１８の下面に所定間隔を有して突設された複数の中空状凸部１９を、把手３の各挿入孔１６に夫々嵌合して固定される。このように、カバー体１８を装着することにより、不用意に凸部１４が係入孔１７から挿入孔１６側に移動するようなことがなくなり、良好な固定状態が維持されることになる。
【００４４】
前記受口５の一端側に設けた筒状部３０の端面には、図１０に示すように取付孔３１が環状に形成されている。この取付孔３１の外側に位置する内面には内向凸部３２が環状に形成され、且つ内側に位置する内面には外向凸部３３が環状に形成され、該外向凸部３３は前記内向凸部３２よりも少し奥側に位置されている。かかる取付孔３１内に前記排尿口４を嵌入して、受口５が尿器本体１に取付けられる。排尿口４の外周面には、図１１に示すように二条の環状膨出部３４、３５が管軸方向に所定間隔を有して設けられている。受口５を排尿口４に嵌入した際には、同図の如く先端側の環状膨出部３４が受口５の取付孔３１の奥部分に係合する。一方、他方の環状膨出部３５の内面に取付孔３１の外向凸部３３が嵌合すると共に、環状膨出部３５の外面面が内向凸部３３と係合する。これにより、受口５は排出口４に確実且つ強固に取り付けられることになる。このため、受口５が排尿口４から不用意に離脱して、尿が漏洩するという事態は生じ難くなる。更に、両部材者間のシール性も向上するので、取付部分から尿漏れが生じることを良好に回避できる。
【００４５】
また、排尿時に於ける身体との良好な密着性を確保するために、受口５の他端側の左右両側面は略半円状に切欠かれている。更に、受口５の筒状部３０には、図１０に示すように半円状の尿口３６が開設されている。その上部に位置する壁面３７には、両端に取付孔（図示せず）を有する取付部３８が設けられている。尚、尿器の不使用時には受口５に蓋体（図示せず）が嵌着される。
【００４６】
また、尿器本体１内に貯えられた排尿が、受口５の尿口３６から外部に漏洩しないように、該尿口３６には逆止弁３９が設けられている。かかる逆止弁３９は、前記尿口３６を閉塞するための略半円状の弁本体４０と、弁本体４０の背面に幅方向に所定間隔を有して対向配置された取付片４１とからなっている。各取付片４１の内側に突設した軸部（図示せず）を受口５の取付孔に回動自在に嵌入して取付けられる。
【００４７】
本実施形態に係る尿器は以上のような構成からなっている。次に、これを使用して排尿する場合について説明する。
【００４８】
先ず、カバー体１８を把手３から取り外し、使用者の一般的な又はその時の使用態様、或いは体格等に応じて把手３を持ち手２の所望位置に取付ける。その際、尿器の受口５を使用者に身体に当てつつ適宜調整しながら行うのが望ましい。例えば、受口５を使用者の身体に当てて、把手３の嵌合凹部１２を持ち手２の嵌合凸部１１に嵌合させた状態で、持ち手２の凸状部１４と接触しないように把手３の後方側を上向きに引き上げしながら、所望の位置にスライド移動させる。この場合、把手３は可撓性を有する合成樹脂からなるために、かかる一連の操作は容易に行うことができる。
【００４９】
そして、把手３の凸状部１４に設けた頭部１３を所定の挿入孔１６内に挿入した後、把手３を後方側に押圧して、前記凸状部１４を持ち手２の係入孔１７に係入させる。更に、前記カバー体１８の凸部１９を把手３の挿入孔１６に嵌合して取付ける。
【００５０】
これにより、排尿前の尿器の調整は完了する。しかるに、かかる一連の調整作業は非常に簡易なものであるために、高齢者等であっても介助者によることなく行えるという利点がある。
【００５１】
かかる尿器を実際に使用する場合は、把手３を把持しつつ受口５が身体と接触するように引き寄せ、陰部を排尿口４に相対させて排尿を行えばよい。この場合、把手３の取付位置は上述したように使用態様等に応じて予め調整されているので、使用者は把手３を無理なく把持することができ、受口５を身体に密着させつつ漏らさずに排尿を行うことができる。即ち、本実施形態に係る尿器は、例えば横臥時や上体を起こしたような使用態様等にも幅広く、且つ柔軟に対応することができ、その適用範囲は極めて広範である。
【００５２】
また、受口５には逆止弁３９が設けられているために、受口５から排尿が外部へ漏れることもない。従って、使用者は把手３又は持ち手２を把持しつつ、尿器を所定の位置に収納等することも容易に行うことができる。
【００５３】
このように、本実施形態に於ける尿器によれば、把手３の調整作業から排尿、更には排尿後の尿器の取扱いに至るまでの一連の作業が極めて簡易なものとなる。その結果、歩行が困難でトイレに行けない病人や高齢者等であっても、介助者の手を借りることなく、排尿を行うことできる。よって、使用者は羞恥心や介助者への遠慮等から解放されることになる。
【００５４】
また、受口５に触ることなく把手３を把持しつつ排尿を行える点、受口５と排尿口４との取付構造や逆止弁３９の採用等により、尿漏れの発生を抑制できる点に於いて、衛生的な使用が可能になるという利点もある。
【００５５】
更に、本実施形態に係る尿器は、全体の構成が極めて簡易であるために、その製作も容易に且つ安価に行えるという実用的な利点もある。
【００５６】
尚、上記実施形態に於いては、持ち手２と把手３とをスライド自在に設けるための凹凸嵌合手段を、持ち手２の嵌合凸部１１と、該嵌合凸部１１にスライド自在に嵌合すべく把手３に設けた嵌合凹部１２とで構成している。しかるに、これとは逆に持ち手２に嵌合凹部を設けると共に、把手３に嵌合凸部を設けるようにして、凹凸嵌合手段を構成することも可能である。但し、把手３をスライド自在に設ける手段は、決してかかる凹凸嵌合手段に限定されるものではない。
【００５７】
更に、把手３はこのようにスライド自在に構成する必要はない。また、把手３はその引き寄せる前後方向に伸縮するように構成することも可能である。要は、把手３がその引き寄せる前後方向に移動可能に構成されればよいのである。
【００５８】
更に、固定手段の構成も上記実施形態のものに限定されない。但し、かかる固定手段は必ずしも設ける必要はない。
【００５９】
また、上記実施形態では、尿器本体１に持ち手２を設けているが、かかる持ち手２は必要に応じて適宜設ければよく、省略しても構わない。この場合、例えば把手３は尿器本体１に直接取付けるように構成する。
【００６０】
更に、上記実施形態では、排尿口４に受口５を取付けた女性用尿器について説明したが、受口５を取り外せば、男性用尿器として使用することもできる。
【００６１】
また、カバー体１８や逆止弁３９は必ずしも設ける必要はなく、省略しても構わない。但し、逆止弁３９を設ける場合は、上記実施形態のように受口５ではなく、例えば排尿口４内に設けてもよい。
【００６２】
その他、尿器本体１、持ち手２、把手３、排尿口４及び受口５の各部の形状等の具体的な構成も、本発明の意図する範囲内に於いて任意に設計変更可能である。
【産業上の利用可能性】
【００６３】
以上のように、本発明は、特に歩行が困難でトイレに行けない病人や高齢者等が、介助者の手を借りずに寝たままの状態でも使用することができる尿器について有用である。
【図面の簡単な説明】
【００６４】
【図１】尿器の全体構成を示す正面図である。
【図２】尿器本体の上面に設けた凸部を示す斜視図である。
【図３】持ち手の下面設けた凹部を示す斜視図である。
【図４】尿器本体と持ち手との取付状態を示す正面図である。
【図５】（ａ）は持ち手の断面図であり、（ｂ）は尿器本体と持ち手との取付状態を示す断面図である。
【図６】尿器本体と持ち手との取付状態を示す断面図である。
【図７】（ａ）及び（ｂ）は持ち手と把手との取付状態を示す断面図である。
【図８】把手を示す底面図である。
【図９】（ａ）及び（ｂ）は持ち手、把手及びカバー体の取付状態を示す断面図である。
【図１０】受口を示す断面図である。
【図１１】受口と排尿口との取付状態を示す断面図である。
【符号の説明】
【００６５】
１    尿器本体
２    持ち手
３    把手
４    排尿口
５    受口
１１  嵌合凸部
１２  嵌合凹部
１３  頭部
１４  凸状部
１５  孔
１６  挿入孔
１７  係入孔
１８  カバー体
１９  凸部
３９  逆止弁
【図１】
0005358128.tif 000002
【図２】
0005358128.tif 000003
【図３】
0005358128.tif 000004
【図４】
0005358128.tif 000005
【図５】
0005358128.tif 000006
【図６】
0005358128.tif 000007
【図７】
0005358128.tif 000008
【図８】
0005358128.tif 000009
【図９】
0005358128.tif 000010
【図１０】
0005358128.tif 000011
【図１１】
0005358128.tif 000012